(57)【要約】     【課題】  水処理用などの膜モジュールの設置を、１人の作業者で安全かつ簡単に行え、移動設置などが容易にできる膜モジュール支持装置を提供する。    【解決手段】  膜モジュール１と、回動支持台２と、ベースユニット３とからなる。膜モジュール１は、水平状態とした支持台２に載置固定する。支持台２は、ベースユニット３に回動機構１０によって、水平・垂直に位置変え自在に取付ける。回動機構１０は、軸１１と軸受１２とからなる。軸１１と軸受１２とには、互に連通する通液孔１６、１７を設け、処理液の回動授受を可能にする。ベースユニット３には、ポンプ６、タンク７などを設置する。【選択図】  図１
2006218387.tif 000002
【特許請求の範囲】
【請求項１】
膜モジュールと、回動式支持台と、ベースユニットとからなり、膜モジュールは支持台に載置固定でき、支持台はベースユニットに回動機構によって水平・垂直に位置移動自在に取付けられ、回動機構では、液体の流通が可能で、膜モジュールとの間の液体の授受ができ、ベースユニットにはポンプやタンクが設置されている膜モジュール支持装置。
【請求項２】
回動機構は、軸と軸受とからなり、軸の両端が軸受に回動自在に支持され、かつ、軸と軸受とには、常に連通状態にある通液孔が設けられ、この通液孔は、膜モジュールや、ポンプ或いはタンクと連結されている請求項１記載の膜モジュール支持装置。
【請求項３】
軸と軸受との回動接合部には、シール材が取付けられていて、液体の漏洩阻止を図っている請求項２記載の膜モジュール支持装置。
【発明の詳細な説明】
【技術分野】
【０００１】
本発明は、水処理などに用いられる分離用の膜モジュールの支持装置に関する。
【背景技術】
【０００２】
最近は、水処理に膜モジュールが用いられることが多くなってきた。（例えば、特許文献１参照）  この膜モジュールは一般に、縦向け設置タイプのものは、縦向け状態のままで設置台に据付けて、固定する方式を採っている。
【０００３】
【特許文献１】特開２００４−２６７８４２号公報
【発明の開示】
【発明が解決しようとする課題】
【０００４】
ところが、従来のように縦向け設置固定方式を採る場合には、その設置作業時に膜モジュールそのものの形状が縦長である上に、その重量が大きい為に、設置作業に２人以上の作業者を必要とし、また、建物自体に設置を据付ける必要があるなどの欠点があった。
【０００５】
本発明は、このような点に鑑み、膜モジュールの取付作業が簡単で、１人の作業者で安全かつ確実に行うことができ、装置の据付、移設、運搬などが簡単にできる膜モジュール支持装置を提供するにある。
【課題を解決するための手段】
【０００６】
本発明の膜モジュール支持装置の技術的手段は、膜モジュールと、回動式支持台と、ベースユニットとからなり、膜モジュールは支持台に載置固定でき、支持台はベースユニットに回動機構によって、水平・垂直に位置移動自在に取付けられ、回動機構では、液体の流通が可能で膜モジュールとの間の液体の授受ができ、ベースユニットにはポンプやタンクが設置されていることにある。
【０００７】
また、回動機構を、軸と軸受とで構成し、軸の両端を軸受で回動自在に支持し、また、軸受とには、常に連通状態にある通液孔を設け、この通液孔を膜モジュールや、ポンプ或いはタンクと連結するようにしてもよい。更に、軸と軸受との回動接合部には、シール材を取付けて、液体の漏洩阻止を図るようにするのがよい。
【発明の効果】
【０００８】
本発明の膜モジュール支持装置は、支持台が回動自在であるから、水平状態にして、膜モジュールの設置作業ができ、作業者が１人でも安全かつ確実に設置作業を行える。更に、回動機構では液体の流通が可能であるから、膜モジュールへの配管を簡素化できる。また、ベースユニットには、ポンプやタンクが設置されているので、ベースユニットごと簡単に移動させることができ、移設などを容易に行うことができる。
【０００９】
請求項２のものでは、回動機構が軸と軸受とで構成され、この軸と軸受とには常に連通状態にある通液孔が設けられているので、回動状態の如何にかかわらず常に良好な配液環境を保持でき、配管設備の簡素化に貢献できる。
【００１０】
請求項３のものは、回動接合部にシール材が取付けられているので、接合部での液体の漏洩を確実に阻止できる。
【発明を実施するための最良の形態】
【００１１】
本発明の膜モジュール支持装置の実施のための最良の形態を、以下に図面の実施例に基づいて説明する。図１に装置の全体が示されている。１は膜モジュール、２は回動式支持台、３はベースユニットである。
【００１２】
膜モジュール１は支持台２の上に載置固定される。支持台２は回動式で、水平状態から垂直状態までの回動が可能である。膜モジュール１の据付時は、水平状態で行うので、１人の作業者でも楽々と据付けができる。なお、ベースユニット３には、水平と、垂直との両位置で支持台２を固定する為の、位置固定用保持具４、５が設けられている。またベースユニット３には、支持台２の他に、ポンプ６やタンク７、更に制御盤などの必要な機器が据付けられている。従って、ベースユニットごとの運搬や移動設置が可能である。
【００１３】
回動式支持台２は、回動機構１０によって、ベースユニット３に取付けられている。回動機構１０は、軸１１と軸受１２とからなる。更に、この回動機構１０では、処理水の授受が可能なことが、配管設備の簡素化から必要である。即ち、ポンプ６から送られてきた液体を膜モジュール１の方に送るのと、膜モジュール１から排出された処理済みの液体をタンク７の方に送るのとの、液体の授受が、膜モジュール１の位置状態の如何にかかわらず可能でなければならない。また、通常は、軸１１は支持台２に取付けられ、軸受１２はベースユニット３に取付けられる。ただし、この逆に取付けることも可能である。
【００１４】
図２、図３には、回動機構１０の実施例が示されている。軸１１の両端部１３は、軸受１２に回動自在に嵌入支持されている。この嵌入結合部にはシール材１４が２箇所に設けられている。また、このシール材１４には、市販のＸ形リングが用いられていて、このリングは内圧が高くなるほどシール性が向上するので、確実なシールが可能である。１５はスペーサである。
【００１５】
軸受１２と、軸１１の端部には通液孔１６、１７が設けられていて、両孔は連通しており、ポンプ６からの液体を膜モジュール１に、また膜モジュール１からの液体をタンク７に、それぞれ洩出なく送れるようになっている。このように、軸１１と軸受１２とで、液体の授受が可能であるので、配管関係を簡素化することができる。なお、軸１１や軸受１２と、ポンプ６やタンク７との接続関係を逆にして、軸受１２と膜モジュール１とを接続し、軸１１と、ポンプ６やタンク７とを接続するようにすることも可能である。
【００１６】
次に、前記装置の使用法について説明する。先ず、膜モジュール１の設置や取外しの際には、支持台２を水平にし、かつ、保持具４で固定する。膜モジュール１は縦長で、かなりの重量があるので、これを縦向けのままで、運搬したり、設置したりすのは、１人の作業者では無理である。本発明では、支持台２を水平にできるので、この状態で膜モジュール１の設置や取外しを行う。これにより１人の作業者ででも、膜モジュール１の設置作業などを安全かつ確実に行うことができる。
【００１７】
設置が終わると、支持台２を回動させ、膜モジュール１を垂直に向け、保持具５で固定し、この状態で水処理作業などを行う。膜モジュール１への配管関係は、回動機構で、液体の授受が行えるので、極めて簡素化できる。また、本発明では、ベースユニット３上に全ての機器が組込まれているので、ベースユニット３ごと移動可能であり、移設などが簡単である。
【００１８】
本発明は、前記の実施例に限定されるものではなく、特許請求の範囲の記載の範囲内で自由に変形実施可能である。特に、支持台２の回動機構構成などについては自由である。
【図面の簡単な説明】
【００１９】
【図１】本発明の膜モジュール支持装置の全体を示す側面図。
【図２】回動機構の実施例の正面図。
【図３】回動機構の要部の拡大断面図。
【符号の説明】
【００２０】
１            膜モジュール
２            回動式支持台
３            ベースユニット
４、５        位置固定用保持具
６            ポンプ
７            タンク
１０          回動機構
１１          軸
１２          軸受
１６、１７    通液孔
【図１】
2006218387.tif 000003
【図２】
2006218387.tif 000004
【図３】
2006218387.tif 000005